(57)【特許請求の範囲】
【請求項１】
回転つまみと同軸に回動自在に配置された回動部材に回転軸から半径方向に延びるトルク設定アームと操作レバーが設けられており、前記トルク設定アームはパネルに設けられたカムに摺接して先端部が昇降しこの先端部に貼着されたクッションが前記回転つまみの底面と圧接し、前記操作レバーにはパネルに設けられた円弧溝と強嵌合する突起と前記回転つまみの周辺部に延びる先端部が設けられている回転つまみのトルク可変機構において、前記操作レバーの先端部が先端方向に向けて前記回転つまみから離れるように前記回転つまみの回転軸に対して傾斜して設け、前記トルク設定アームを回動することにより行われる回転つまみの作動トルク設定時に前記先端部と前記回転つまみとを一緒に掴むことにより前記操作レバーが弾性変形して前記突起が前記円弧溝から離れ前記操作レバーを前記回転つまみと共に軽く回動させることを可能とする回転つまみのトルク可変機構。
【発明の詳細な説明】
【０００１】
【発明の属する技術分野】
この発明は回転つまみのトルク可変機構に係わり、特に、回転つまみの作動トルクを小さい力で任意に設定できる回転つまみのトルク可変機構に関する。
【０００２】
【従来の技術】
従来、ロータリエンコーダ等を回転させるための回転つまみを操作するトルクを任意の大きさに設定できる回転つまみのトルク可変機構が知られている。そのような従来の回転つまみのトルク可変機構の例を図７〜図１２に示す。図９および図１１に示すようにパネル１を挿通させたロータリエンコーダ４のねじ４ｂに螺合するナット６はワッシヤ５を介してロータリエンコーダ４をパネル１のリブ１ｃに締着している。
【０００３】
図９に示すように回転つまみ７はいもねじ８によりロータリエンコーダ４の軸４ａに締着される。図７、図９および図１１に示すように、回動部材２は軸４ａを挿通させており、軸４ａ回りに回動自在にリブ１ｃとワッシヤ５に支持されている。
【０００４】
回動部材２には軸４ａに対して放射状に延びる２つのトルク設定アーム２ａ、２ａと操作レバー２ｂが設けられている。トルク設定アーム２ａの先端にはクッション３が貼着されている。
【０００５】
図８にも詳しく示すようにトルク設定アーム２ａの背面はパネル１に設けられたリブ１ｄと接触しており、回動部材２が回動するとトルク設定アーム２ａが接触するリブ１ｄの高さが変わり、クッショク３の回転つまみ７方向の高さが変化する。従って、回転つまみ７の底面に貼着された底面貼着シート７ａに対するクッショク３の接触圧力が変わり、回転つまみ７の操作トルクを可変できる。
【０００６】
回動部材２の回動位置は操作レバー２ｂにより設定される。図１１および図１２に示すように操作レバー２ｂの先端は回転つまみ７の側面近傍に延びており、この先端を図１２に示すように摘んで回動部材２を回動させる。図７および図１１に図示している通り、回転部材２の設定された回動位置が変化しないように操作レバー２ｂに設けられた突起２ｄがパネル１の円弧溝１ｂに強く嵌合している。
【０００７】
【発明が解決しようとする課題】
上記した従来の回転つまみのトルク可変機構では、回動部材２を回動させるために操作レバー２ｂを指でつまんで動作しなければならないが、回動部材２には回転つまみ７の摩擦力が加わっても回動しないように突起２ｄがパネル１の円弧溝１ｂに強く嵌合しているため、操作レバー２ｂに強い力を加えなければならないという問題があった。
【０００８】
この発明は上記した点に鑑みてなされたものであって、その目的とするところは、軽い力で操作できる回転つまみのトルク可変機構を提供することにある。
【０００９】
【課題を解決するための手段】
この発明の回転つまみのトルク可変機構は、回転つまみと同軸に回動自在に配置された回動部材に回転軸から半径方向に延びるトルク設定アームと操作レバーが設けられており、前記トルク設定アームはパネルに設けられたカムに摺接して先端部が昇降しこの先端部に貼着されたクッションが前記回転つまみの底面と圧接し、前記操作レバーにはパネルに設けられた円弧溝と強嵌合する突起と前記回転つまみの周辺部に延びる先端部が設けられている回転つまみのトルク可変機構において、前記操作レバーの先端部が先端方向に向けて前記回転つまみから離れるように前記回転つまみの回転軸に対して傾斜して設け、前記トルク設定アームを回動することにより行われる回転つまみの作動トルク設定時に前記先端部と前記回転つまみとを一緒に掴むことにより前記操作レバーが弾性変形して前記突起が前記円弧溝から離れ前記操作レバーを前記回転つまみと共に軽く回動させることを可能とするものである。
【００１０】
【発明の実施の形態】
この発明の実施例である回転つまみのトルク可変機構を図面に基づいて説明する。図３および図４に示すようにパネル１を挿通させたロータリエンコーダ４のねじ４ｂに螺合するナット６はワッシヤ５を介してロータリエンコーダ４をパネル１のリブ１ｃに締着している。
【００１１】
図３に示すように回転つまみ７はいもねじ８によりロータリエンコーダ４の軸４ａに締着される。図３および図４に示すように回動部材２は軸４ａを挿通させており、軸４ａ回りに回動自在にリブ１ｃとワッシヤ５に支持されている。
【００１２】
回動部材２には軸４ａに対して放射状に延びる２つのトルク設定アーム２ａ、２ａと操作レバー２ｂが設けられている。トルク設定アーム２ａの先端にはクッション３が貼着されている。
【００１３】
図２に示すようにパネル１には段差の角で形成されたカム１ａ、１ａが設けられている。図３にも詳しく示すようにトルク設定アーム２ａ、２ａの背面はパネル１に設けられたカム１ａ、１ａと接触しており、回動部材２が回動するとトルク設定アーム２ａが接触するカム１ａ、１ａの半径方向距離が変わり、トルク設定アーム２ａの弾性変形量が変化し、それに応じてクッショク３の回転つまみ７方向の高さが変化する。従って、回転つまみ７の底面に貼着された底面貼着シート７ａに対するクッショク３の接触圧力が変わり、回転つまみ７の操作トルクを可変できる。
【００１４】
回動部材２の回動位置は操作レバー２ｂにより設定される。図５に示すように操作レバー２ｂの先端部２ｃは回転つまみ７の側面近傍に延びており、先端に向けて回転つまみ７から離れるように傾斜している。
【００１５】
また、図１、図４および図５（ｂ）に示すように回転部材２の設定された回動位置を変化させないために操作レバー２ｂに設けられた突起２ｄがパネル１の円弧溝１ｂに強く嵌合させている。
【００１６】
回動部材２の回動位置を操作レバー２ｂにより設定するときは、図６（ａ）および（ｂ）に示すように操作レバー２ｂの先端部２ｃを回転つまみ７と共に指で摘み先端部２ｃにＰ方向の力を加えると、図６（ｂ）に示すように操作レバー２ｂの突起２ｄがパネル１の円弧溝１ｂから離れ、回動部材２を軽い力で回動させることができ、回転つまみの作動トルクの設定が簡単に行える。
【００１７】
【発明の効果】
従来、回転つまみの作動トルク設定を行う回動部材は回転つまみから摩擦力が加わっても回動しないようにその突起をパネルと強く嵌合させており、作動トルクを設定するため回動部材を回動させる時の負荷が極めて重く操作しにくいという問題があった。
【００１８】
一方、この発明の回転つまみのトルク可変機構によれば、操作レバーの先端部を回転つまみと共に指で摘み先端部に力を加え、操作レバーの突起をパネルの円弧溝から離すことにより、回動部材を軽い力で回動させることができ、回転つまみの作動トルクの設定が簡単に行えるようになった。
【００１９】
さらに、従来は回転つまみから指を離し、操作レバーのみを摘んで操作しなければならなかったが、この発明の回転つまみのトルク可変機構では、回転つまみと操作レバーを同時に摘んで回動させることができるので、一層操作がしやすくなった。
【図面の簡単な説明】
【図１】この発明の実施例である回転つまみのトルク可変機構を示す斜視図である。
【図２】同トルク可変機構が取付けられるパネルを示す正面図である。
【図３】図１におけるＡ−Ａ断面図である。
【図４】図１におけるＢ−Ｂ断面図である。
【図５】図５（ａ）は同トルク可変機構を示す正面図、図５（ｂ）は同トルク可変機構を示す断面図である。
【図６】図６（ａ）は同トルク可変機構の動作状態を示す正面図、図６（ｂ）は同トルク可変機構の動作状態を示す断面図である。
【図７】従来の回転つまみのトルク可変機構の例を示す斜視図である。
【図８】図７におけるａ方向矢視図である。
【図９】図７におけるＡ−Ａ断面図である。
【図１０】同トルク可変機構を示す正面図である。
【図１１】図７におけるＢ−Ｂ断面図である。
【図１２】同トルク可変機構の動作状態を示す正面図である。
【符号の説明】
１  パネル、１ａ  カム、１ｂ  円弧溝、１ｃ、１ｄ  リブ
２  回動部材、２ａ  トルク設定アーム、２ｂ  操作レバー、２ｃ  先端部
２ｄ  突起
３  クッション
４  ロータリエンコーダ、４ａ  軸、４ｂ  ねじ
５  ワッシャ
６  ナット
７  回転つまみ、７ａ  底面貼着シート
８  いもねじ
【図１】
0003776693.tif 000002
【図２】
0003776693.tif 000003
【図３】
0003776693.tif 000004
【図４】
0003776693.tif 000005
【図５】
0003776693.tif 000006
【図６】
0003776693.tif 000007
【図７】
0003776693.tif 000008
【図８】
0003776693.tif 000009
【図９】
0003776693.tif 000010
【図１０】
0003776693.tif 000011
【図１１】
0003776693.tif 000012
【図１２】
0003776693.tif 000013